(57)【要約】  スマートメータ（１）が、当該スマートメータ（１）を通じた、テレビ（３１）等への、電力の供給を停止させるＲＤコマンド（１ｃ）が受信された場合に、前記供給を停止させる電力供給制御部（１１）と、前記ＲＤコマンド（１ｃ）が受信される第１の通信を行う第１の通信部（１２１）と、第２の通信を行う第２の通信部（１２２）と、前記ＲＤコマンド（１ｃ）が受信される以前に、前記第１の通信を行わせ、前記ＲＤコマンド（１ｃ）が受信された後には、前記第１の通信を行わせず、前記第２の通信のみを行わせる通信制御部（１３）とを備える。
2012105210.tif 000002
【特許請求の範囲】
【請求項１】
スマートメータであって、
当該スマートメータを通じた、電気機器への、電力の供給を停止させるコマンドが受信された場合に、前記供給を停止させる電力供給制御部と、
前記コマンドが受信される第１の通信を行う第１の通信部と、
第２の通信を行う第２の通信部と、
前記コマンドが受信される以前に、前記第１の通信を行わせ、
前記コマンドが受信された後には、前記第１の通信を行わせず、前記第２の通信のみを行わせる通信制御部とを備えるスマートメータ。
【請求項２】
前記第１の通信部は、第１の通信網での通信を行い、
前記第２の通信部は、前記第１の通信網とは異なる第２の通信網での通信を行う請求項１記載のスマートメータ。
【請求項３】
前記第２の通信網は、携帯電話網である請求項２記載のスマートメータ。
【請求項４】
前記第１の通信部は、予め定められた機器を経由しない通信を行い、
前記第２の通信部は、前記予め定められた機器を経由した通信を行う請求項１記載のスマートメータ。
【請求項５】
前記予め定められた機器は、系統からの前記電力が供給される前記電気機器であり、
前記電力供給制御部は、前記コマンドが受信された後に、前記予め定められた機器に、前記系統からの前記電力を供給させず、予め定められた蓄電池からの電力を供給させる請求項４記載のスマートメータ。
【請求項６】
当該スマートメータは、
第１のモードと、第２のモードとを含む複数のモードのうちの１つのモードで動作し、
前記コマンドが受信されない場合に、前記第１のモードで動作し、受信された場合に、前記第２のモードで動作し、
前記通信制御部は、前記第１のモードで動作する際に、前記第１の通信を行わせ、前記第２のモードで動作する際には、前記第１の通信を行わせず、前記第２の通信のみを行わせる請求項１記載のスマートメータ。
【請求項７】
前記電力供給制御部は、前記第２のモードで動作する際に、当該スマートメータと、前記電気機器とのうちで、前記電気機器への、系統からの前記電力の供給のみを停止させ、
当該スマートメータは、前記第２のモードで動作する際にも、前記系統からの前記電力で動作する請求項６記載のスマートメータ。
【請求項８】
当該スマートメータは、
前記コマンドが受信された場合において、前記第２のモードで動作しないときに、第３のモードで動作し、
前記第３のモードで動作する際には、系統からの前記電力で動作せず、予め定められた蓄電池からの電力で動作し、
前記通信制御部は、前記第３のモードで動作する際には、前記第１の通信を行わせる請求項６記載のスマートメータ。
【請求項９】
当該スマートメータは、前記コマンドが受信された場合に、前記第２のモードで動作した後に、第４のモードで動作し、
前記第２の通信は、前記電気機器を経由した通信であり、
前記電力供給制御部は、
前記第２のモードで動作する際には、前記電気機器に、予め定められた蓄電池からの電力を供給させ、
前記第４のモードで動作する際には、前記電気機器に、系統からの前記電力を供給させる請求項６記載のスマートメータ。
【請求項１０】
前記コマンドが受信された後に、受信がされる以前における、当該スマートメータの動作の履歴を、前記予め定められた機器に、前記第２の通信で送信する履歴送信部を備える請求項４記載のスマートメータ。
【請求項１１】
前記第２の通信部は、
前記履歴が送信された前記予め定められた機器から、当該スマートメータの動作を特定するデータを受信し、
当該スマートメータは、前記データが受信された場合に、前記データにより特定される前記動作を行う請求項１０記載のスマートメータ。
【請求項１２】
前記コマンドが受信される前に、第１の周波数で動作し、受信された後に、前記第１の周波数よりも低い第２の周波数で動作する請求項１記載のスマートメータ。
【請求項１３】
前記コマンドが受信される前に、第１のファームウェアで動作し、受信された後に、第２のファームウェアで動作する請求項１記載のスマートメータ。
【請求項１４】
前記コマンドが受信される前に、第１のＣＰＵで動作し、受信された後に、第２のＣＰＵで動作する請求項１記載のスマートメータ。
【請求項１５】
請求項１記載のスマートメータと、
前記電気機器と、
サーバとを含むシステムであって、
前記スマートメータは、
前記コマンドを、前記サーバから、前記第１の通信で受信し、
受信がされた場合に、当該スマートメータの動作の履歴を、前記第２の通信で、前記電気機器に送信する履歴送信部を備え、
前記電気機器は、送信された前記履歴を前記サーバに送信し、
前記サーバは、送信された前記履歴から生成された、前記スマートメータの動作を特定する第１のデータ、および、前記電気機器の動作を特定する第２のデータを、それぞれ前記電気機器に送信し、
前記電気機器は、送信された前記第２のデータの前記動作を行うと共に、送信された前記第１のデータを、前記電気機器から前記スマートメータへと送信し、
前記スマートメータは、送信された前記第１のデータの前記動作を行うシステム。
【請求項１６】
スマートメータが備える第１の通信部と第２の通信部とのうちの前記第１の通信部により行われる第１の通信で、前記スマートメータを通じた、電気機器への、電力の供給を停止させるコマンドが受信された場合に、前記供給を停止させる電力供給制御ステップと、
前記コマンドが受信される以前に、前記第１の通信を行わせ、
前記コマンドが受信された後には、前記第１の通信を行わせず、前記第２の通信部により行われる第２の通信のみを行わせる通信制御ステップとを含む供給制御方法。
【請求項１７】
請求項１記載のスマートメータと、
前記電気機器と、
サーバとを含むシステムで実行される動作方法であって、
前記スマートメータが、前記コマンドが、前記サーバから、前記第１の通信で受信された場合に、当該スマートメータの動作の履歴を、前記第２の通信で、前記電気機器に送信するステップと、
前記電気機器が、送信された前記履歴を前記サーバに送信するステップと、
前記サーバが、送信された前記履歴から生成された、前記スマートメータの動作を特定する第１のデータ、および、前記電気機器の動作を特定する第２のデータを、それぞれ前記電気機器に送信するステップと、
前記電気機器が、送信された前記第２のデータの前記動作を行うと共に、送信された前記第１のデータを、前記電気機器から前記スマートメータへと送信するステップと、
前記スマートメータが、送信された前記第１のデータの前記動作を行うステップとを含む動作方法。
【請求項１８】
スマートメータが備える第１の通信部と第２の通信部とのうちの前記第１の通信部により行われる第１の通信で、前記スマートメータを通じた、電気機器への、電力の供給を停止させるコマンドが受信された場合に、前記供給を停止させる電力供給制御部と、
前記コマンドが受信される以前に、前記第１の通信を行わせ、
前記コマンドが受信された後には、前記第１の通信を行わせず、前記第２の通信部により行われる第２の通信のみを行わせる通信制御部とを備える集積回路。
【請求項１９】
スマートメータが備える第１の通信部と第２の通信部とのうちの前記第１の通信部により行われる第１の通信で、前記スマートメータを通じた、電気機器への、電力の供給を停止させるコマンドが受信された場合に、前記供給を停止させる電力供給制御ステップと、
前記コマンドが受信される以前に、前記第１の通信を行わせ、
前記コマンドが受信された後には、前記第１の通信を行わせず、前記第２の通信部により行われる第２の通信のみを行わせる通信制御ステップとをコンピュータに実行させるためのプログラム。
【発明の詳細な説明】
【技術分野】
【０００１】
本発明は、当該スマートメータを通じた、電気機器への、電力の供給を停止させるコマンドが受信された場合に、当該供給を停止させるスマートメータに関する。
【背景技術】
【０００２】
従来より、家庭で用いられるテレビなどの電気機器は、分電盤より供給される電力により動作しており、そこで使用される電力は、メータで計測されている。また、近年は、リモートでの検針が可能なスマートメータも用いられてきている。【０００３】
スマートメータを用いた場合、系統（商用電力）からの電力がスマートメータを通じて分電盤に供給され、電気機器（１以上の電気機器が含まれてなる電力機器群）まで供給されることになる。【０００４】
スマートメータでは、ＲＤコマンド（Remote Disconnect：リモートディスコネクト）に対応しているものも多い。ＲＤコマンドは、そのコマンドが、スマートメータにより受信された場合に、スマートメータが、電力機器への、電力の供給を停止させるコマンドである。【０００５】
ＲＤコマンドは、例えば、系統を介して、電力を供給する電力会社のサーバにより、インターネットなどのネットワークを介してスマートメータに送信される。【０００６】
そして、近年においては、非特許文献１などにおいて、このＲＤコマンドが、ハッカーなどにより、不正に送信される可能性があることが指摘されている。
【先行技術文献】
【特許文献】
【０００７】
【特許文献１】特開２００３−１４３７５８号公報
【特許文献２】特開２００４−０８９１９号公報
【特許文献３】特開２００４−２５４４５９号公報
【非特許文献】
【０００８】
【非特許文献１】SCAN DISPATCH ：補助金目当、脆弱性続出のスマートメータ（https://www.netsecurity.ne.jp/2_13857.html）
【発明の概要】
【発明が解決しようとする課題】
【０００９】
しかしながら、不正なＲＤコマンドがスマートメータによって受信されるのを完全に防ぐことは難しい。【００１０】
また、不正なＲＤコマンドが受信された後に、スマートメータにより通信が行われることが考えられる。【００１１】
例えば、不正なＲＤコマンドが受信された後に、そのＲＤコマンドに関する調査がされるために、電力会社のサーバなどとの間での通信が、スマートメータによりされることなどが考えられる（図８のＳａ４などを参照）。【００１２】
しかも、通常は、ＲＤコマンドが受信される以前に行われる第１の通信よりも、不正な通信がされ難い第２の通信がある。【００１３】
つまり、第２の通信としては、予め定められた機器（図１１の登録機器１ｒ、図１のテレビ３１などを参照）を介した通信で、比較的、不正な通信がされ難い通信などが考えらえる。【００１４】
また、第２の通信としては、公衆電話網での通信などの様々な通信が想定される。【００１５】
このため、不正なＲＤコマンドが、第１の通信で受信された後にまで、不正な通信がされ易い第１の通信が行われて、ハッカーなどにより、不正な通信がされ、二次攻撃が行われる可能性があると考えられる。【００１６】
例えば、二次攻撃として、Ｄｏｓ（Denial of Service attack）攻撃などが行われることが考えられる。【００１７】
そこで、本発明は、不正なＲＤコマンドが受信された後における二次攻撃が回避できるスマートメータを提供することを目的とする。
【課題を解決するための手段】
【００１８】
上記の課題を解決するために、本発明のスマートメータは、当該スマートメータを通じた、電気機器への、電力の供給を停止させるコマンドが受信された場合に、前記供給を停止させる電力供給制御部と、前記コマンドが受信される第１の通信を行う第１の通信部と、第２の通信を行う第２の通信部と、前記コマンドが受信される以前に、前記第１の通信を行わせ、前記コマンドが受信された後には、前記第１の通信を行わせず、前記第２の通信のみを行わせる通信制御部とを備えるスマートメータである。【００１９】
なお、このように、第１の通信は、その通信によって、上記のコマンドが受信される通信である。【００２０】
なお、例えば、前記第１の通信部は、第１の通信網での通信を行い、前記第２の通信部は、前記第１の通信網とは異なる第２の通信網での通信を行ってもよい。【００２１】
なお、前記第２の通信網は、携帯電話網でもよい。【００２２】
他方、例えば、前記第１の通信部は、予め定められた機器を経由しない通信を行い、前記第２の通信部は、前記予め定められた機器を経由した通信を行ってもよい。【００２３】
なお、例えば、上記のコマンドが受信された後には、第１の通信が遮断されてもよい。【００２４】
また、例えば、その受信の後に、第１の通信が停止されてもよい。【００２５】
つまり、第１の通信は、例えば、不正にコマンドを受信させたハッカー等による、Ｄｏｓ攻撃などでの二次攻撃を、比較的受け易い通信である。そして、第２の通信は、Ｄｏｓ攻撃などでの二次攻撃を、比較的受け難い通信等である。【００２６】
つまり、例えば、第１の通信は、（十分に）安全ではない第１の通信路での通信である。そして、例えば、第２の通信は、（十分に）安全である第２の通信路での通信である。【００２７】
これにより、コマンドが受信された後には、第１の通信がされず、第２の通信がされて、二次攻撃が回避できる。【００２８】
なお、第２の通信は、例えば、スマートメータに登録されたＩＤ等のデータにより特定される電気機器との通信でもよいし、その電気機器を経由する通信などでもよい。
【発明の効果】
【００２９】
電力の供給を停止させるコマンド（ＲＤコマンドなど）の受信の後における二次攻撃が回避できる。【００３０】
ひいては、二次攻撃がなく、停止のコマンドの受信の後に、確実に、適切な動作（図９のＳａ７などを参照）ができる。【００３１】
つまり、例えば、受信の後に、受信がされたコマンドが不正でないか否が判定されて、不正と判定される場合には、停止をさせない制御が行われてもよい。つまり、例えば、この動作が確実に適切に行われて、確実に、不正なコマンドでの不適切な停止が回避され。確実に、不適な停止が回避できる。
【図面の簡単な説明】
【００３２】
【図１】図１は、スマートメータなどを示す図である。
【図２】図２は、スマートメータなどを示す図である。
【図３】図３は、コマンドのリストを示す図である。
【図４】図４は、スマートメータなどを示す図である。
【図５】図５は、スマートメータの動作のフローチャートである。
【図６】図６は、モードの表を示す図である。
【図７】図７は、モードの表を示す図である。
【図８】図８は、動作の流れの前半部分を示す図である。
【図９】図９は、動作の流れの後半部分を示す図である。
【図１０】図１０は、システムにおける動作を示すフローチャートである。
【図１１】図１１は、スマートメータ、登録機器およびサーバなどを示す図である。
【図１２Ａ】図１２Ａは、モード１でのＣＰＵなどを示す図である。
【図１２Ｂ】図１２Ｂは、モード２でのＣＰＵなどを示す図である。
【図１２Ｃ】図１２Ｃは、モード３でのＣＰＵなどを示す図である。
【図１２Ｄ】図１２Ｄは、モード４でのＣＰＵなどを示す図である。
【図１３Ａ】図１３Ａは、モード１での第１、第２のＣＰＵなどを示す図である。
【図１３Ｂ】図１３Ｂは、モード２での第１、第２のＣＰＵなどを示す図である。
【図１３Ｃ】図１３Ｃは、モード３での第１、第２のＣＰＵなどを示す図である。
【図１３Ｄ】図１３Ｄは、モード４での第１、第２のＣＰＵなどを示す図である。
【図１４】図１４は、コマンドのリストを示す図である。
【図１５】図１５は、各機能を示す図である。
【図１６】図１６は、スマートメータの構成などを示す図である。
【発明を実施するための形態】
【００３３】
以下、図面を参照して、本発明を実施する形態について説明する。なお、以下で説明する実施の形態は、何れも本発明の好ましい一具体例を示すものである。以下の実施の形態で示される数値、形状、材料、構成要素、構成要素の配置位置及び接続形態、ステップ、ステップの順序等は、一例である。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００３４】
図１は、スマートメータ１などを示す図である。
【００３５】
システム１ｓは、スマートメータ１と、テレビ３１と、第１のサーバ４１と、第２のサーバ４２とを含む。
【００３６】
なお、システム１ｓは、蓄電池１ａ、ルータ１ｔなどを更に含んでもよい。
【００３７】
第１のサーバ４１および第２のサーバ４２は、それら第１、第２のサーバ４１、４２を含んでなるサーバシステム（サーバ）４を構成する。
【００３８】
例えば、第１のサーバ４１は、スマートメータ１を通じて、系統９ａから、電力を供給する電力会社のサーバである。
【００３９】
そして、例えば、第２のサーバ４２は、テレビ３１のメーカーのサーバである。
【００４０】
スマートメータ１は、住宅（家）１ｈに設けられる。
【００４１】
そして、スマートメータ１は、当該スマートメータ１を通して、系統９ａからの電力（商用電力）が電気機器群３ｍに供給される装置である。
【００４２】
電気機器群３ｍは、住宅１ｈに設けられた１以上の電気機器（テレビ３１、冷蔵庫３２、エアコン３３など）を含んでなる。
【００４３】
なお、電気機器群３ｍへの、電力の供給は、例えば、電気機器群３ｍと、スマートメータ１との間にある配電盤１ｂを介して行われる。
【００４４】
そして、スマートメータ１は、電気機器群３ｍに供給される電力の電力量を検出する。
【００４５】
そして、スマートメータ１は、検出された電力量を、インターネット（第１のネットワーク５１）を通じて送信する。
【００４６】
送信される電力量は、その電力量の料金が、系統９ａの電力会社（電力会社の第１のサーバ４１を参照）により、その電力会社が契約をした相手である、約住宅１ｈの住人などに対して課金される電力量である。
【００４７】
例えば、これにより、電力会社のサービスマンなどの人間が、住宅１ｈまで行く必要なく、簡単に、適切な課金がされてもよい。
【００４８】
そして、スマートメータ１は、コマンド（ＲＤコマンド１ｃなど）を受信する（後述される、図８のＳａ１などを参照）。
【００４９】
受信されるコマンドは、例えば、例えば、ＲＤ（Remote Disconnect：リモートディスコネクト）コマンド１ｃなどの、電力の供給を停止させるコマンドである。
【００５０】
ＲＤコマンド１ｃ等が受信された場合には、スマートメータ１が、上述された、当該スマートメータ１を通じた電力の供給を停止させる。
【００５１】
ＲＤコマンド１ｃは、例えば、住宅１ｈにおいて、電力料金が未払いの場合などに、電力会社の第１のサーバ４１により、スマートメータ１に送信される。
【００５２】
図２は、スマートメータ１の構成を示す図である。
【００５３】
スマートメータ１は、ＬＡＮ（Local Area Network）経由コマンド受信部６１と、ＬＡＮ経由コマンド実行部６２と、ＮＷ（Network）・電源切替制御部６５と、ＮＷ切替部６６と、電源切替部６７と、Ｌｏｃａｌ経由コマンド受信部６８などを備える。
【００５４】
ＬＡＮ経由コマンド受信部６１は、第１の通信（後述される、図４の第１の通信部１２１での通信）を行う。
【００５５】
第１の通信は、第１のネットワーク５１（図１）を通じた通信である。
【００５６】
なお、第１のネットワーク５１は、例えば、ＩＰ（Internet Protocol）によるＩＰネットワーク（ＩＰ網）などである。
【００５７】
なお、例えば、スマートメータ１と、住宅１ｈの外部（サーバシステム４など）との間での第１の通信は、ルータ１ｔ（図１）を介して行われてもよい。
【００５８】
そして、先述のように、第１のネットワーク５１は、例えばＩＰ網である。つまり、例えば、第１のネットワーク５１のうちの、住宅１ｈの外部の部分、つまり、ルータ１ｔよりも外側の部分が、インターネットでもよい。
【００５９】
そして、ＬＡＮ経由コマンド受信部６１は、この第１の通信により、コマンドを受信する。
【００６０】
図３は、ＬＡＮ経由コマンド受信部６１により受信されるコマンドのリスト６２ｔを示す図である。
【００６１】
なお、図３の「００３」の欄で示されるように、先述されたＲＤコマンド１ｃ（図１）は、例えば、ＬＡＮ経由コマンド受信部６１により受信される。
【００６２】
ＬＡＮ経由コマンド実行部６２は、ＬＡＮ経由コマンド受信部６１により受信されたコマンド（ＲＤコマンド１ｃなど）を実行する。
【００６３】
電源切替部６７は、ＲＤコマンド１ｃが受信された場合に、電力の供給を停止させる（後述される図８のＳａ２、図１０のＳｍ１１などを参照）。
【００６４】
なお、電源切替部６７は、例えば、その状態が、第１の状態から第２の状態へと切り替わるスイッチなどでもよい。
【００６５】
つまり、例えば、第１の状態は、その状態においては、系統９ａと配電盤１ｂとが接続され、電気機器群３ｍへの、電力の供給が行われる状態である。
【００６６】
そして、第２の状態は、この接続がされず、供給がされない状態である。
【００６７】
つまり、電源切替部６７は、ＲＤコマンド１ｃが受信された場合に、その状態を、第１の状態から第２の状態へと切り替えて、電力の供給を停止させてもよい。
【００６８】
なお、電源切替部６７に対して、この動作をさせる制御が行われてもよい。
【００６９】
つまり、例えば、この制御は、ＮＷ・電源切替制御部６５により行われてもよい。
【００７０】
なお、この制御は、例えば、電源切替部６７の内部などに設けられた制御部などにより行われてもよい。
【００７１】
例えば、これにより、料金の未払いなどに際して、サービスマン等が、住宅１ｈに行く必要なく、簡単に、電力の供給が停止されてもよい。
【００７２】
そして、受信されるＲＤコマンド１ｃが、不正でないＲＤコマンド１ｃである場合だけでなく、不正なＲＤコマンド１ｃである場合もあるのが考えられる（先述の非特許文献１などを参照）。
【００７３】
つまり、不正でないＲＤコマンド１ｃは、例えば、先述された、電力会社の第１のサーバ４１により送信されたＲＤコマンド１ｃである。
【００７４】
他方、不正なＲＤコマンド１ｃは、ハッカーなどの第３の者のコンピュータ１Ｑ（図１）により送信されたＲＤコマンド１ｃなどである。
【００７５】
つまり、電力の供給の停止としては、不正でないＲＤコマンド１ｃによる、不正でない停止だけがではなく、不正なＲＤコマンド１ｃによる、不正な停止も考えられる。
【００７６】
そして、このような、不正なＲＤコマンド１ｃの受信がされた後にも、スマートメータ１により通信がされることが必要であることが想定される（後述される、図８のステップＳａ４、図９のＳａ５などを参照）。
【００７７】
つまり、その通信は、後で詳しく説明されるように、例えば、不正なＲＤコマンド１ｃが受信されたことによる弊害（大きな弊害）を回避するための処理（例えば、調査・復旧の処理、不正な停止がされるのを回避させる処理など）での通信等である。
【００７８】
Ｌｏｃａｌ経由コマンド受信部６８は、第２のネットワーク５２（図１）を通じた第２の通信（後述の図４の第２の通信部１２２での通信）を行う。
【００７９】
第２の通信は、その通信では、ハッカーなどの第３者のコンピュータ１Ｑ（図１）が接続され、不正な通信が行われることが、比較的され難い通信である。
【００８０】
つまり、第２の通信（第２の通信部１２２の通信）は、上述された第１の通信（第１の通信部１２１の通信）よりも、不正な通信がされ難い通信である。
【００８１】
ここで、不正な通信とは、例えば、第３者のコンピュータ１Ｑなどからの、不正なパケットを送り込まれる通信や、Ｄｏｓ攻撃の通信などである。
【００８２】
つまり、例えば、第１の通信は、予め定められた機器（例えばテレビ３１、図１１の登録機器１ｒを参照）との通信ではない通信で、第２の通信は、予め定められた機器との通信でもよい。
【００８３】
なお、例えば、第１の通信がされる際には、予め定められた機器（テレビ３１）により認証される必要がない一方で、第２の通信がされる際には、その機器による認証が必要でもよい。
【００８４】
つまり、第１の通信での攻撃は、第３者のコンピュータ１Ｑが、予め定められた機器から、不正に認証を受けた場合でない場合でも行われる一方で、第２の通信での攻撃は、その機器から、不正に認証を受けた場合に行われてもよい。
【００８５】
つまり、第２の通信は、その通信での攻撃が、その機器（テレビ３１）から不正に認証を受けた場合にのみ行われ、攻撃が比較的され難くてもよい。
【００８６】
なお、第２の通信は、予め定められた機器（テレビ３１など）により仲介される、その機器を経由する通信などでもよい。
【００８７】
なお、上述された予め定められた機器は、例えば、所定のデータ（例えば、図１における、テレビ３１のＩＤである「ＩＤ００１」）により特定される機器（図１１の登録機器１ｒ）である。
【００８８】
なお、このようなデータは、例えば、後述される図１１の登録機器リスト８ｄ１などである（図１１の登録機器リスト８ｄ１の「００１」などを参照）。
【００８９】
なお、例えば、図１１の登録機器リスト８ｄ１に示されるように、所定のデータにより、予め定められた機器の複数個（図１１の登録機器リスト８ｄ１の「００１」の機器、「００５」の機器）がそれぞれ特定され、それぞれの予め定められた機器との通信が、第２の通信でもよい。
【００９０】
そして、登録機器リスト８ｄ１が、予め定められた登録部（例えば、Ｌｏｃａｌ経由コマンド受信部６８などでもよい）に記憶されて、登録部への、機器の登録が行われてもよい（図１１の登録機器１ｒを参照）。
【００９１】
なお、例えば、パーソナルコンピュータなどは、その電源が切られた際には、動作を行わない。
【００９２】
これに対して、テレビ３１などの家電機器では、電源が切られても、リモコンによる指示があるか否かの検出などの、いわゆる待機電力での動作などの動作が行われる。
【００９３】
つまり、予め定められた機器は、このような、テレビ３１などでもよい。
【００９４】
そして、テレビ３１などによる、電源が切られた際の動作が、そのテレビ３１等による、スマートメータ１との間での、上述された第２の通信の処理の動作などを含んでもよい。
【００９５】
これにより、予め定められた機器（テレビ３１）の電源が切られた場合でも、第２の通信が可能で、確実に、第２の通信が可能にできる。
【００９６】
なお、第２の通信は、公衆電話網などによって実現されてもよい。
【００９７】
つまり、例えば、スマートメータ１には、携帯電話などに設けられるＳＩＭ（Subscriber Identity Module Card）カードが設けられてもよいし、第２の通信の機能が、ソフト実装によるＳＩＭなどで実現されてもよい。
【００９８】
そして、第２の通信は、設けられたＳＩＭカードやソフトＳＩＭで行われてもよい。
【００９９】
ＮＷ切替部６６は、ＲＤコマンド１ｃが受信される以前に（後述の図５のＳｘ３のＮｏを参照）、上述された第１の通信（Ｓｘ２）をさせる。
【０１００】
そして、ＮＷ切替部６６は、ＲＤコマンド１ｃが受信された後に（Ｓｘ３のＹｅｓを参照）、上述された第２の通信（Ｓｘ５）をさせる。
【０１０１】
なお、ＮＷ切替部６６に対して、このような動作をさせる制御が行われてもよい。
【０１０２】
つまり、この制御は、例えば、ＮＷ・電源切替制御部６５により行われてもよい。
【０１０３】
なお、この制御は、例えば、ＮＷ切替部６６の内部に設けられた制御部などにより行われてもよい。
【０１０４】
なお、第１の通信をさせないとは、例えば、第１の通信（の通信路）を遮断することである。
【０１０５】
また、第１の通信をさせないとは、例えば、第１の通信を停止させることなどでもよい。
【０１０６】
なお、ＲＤコマンド１ｃが受信される以前に、第１の通信だけでなく、第２の通信も行われてもよい。
【０１０７】
これにより、（不正な）ＲＤコマンド１ｃが受信された後に（図５のＳｘ３のＹｅｓ）、不正な通信がされ易い第１の通信がされて、二次攻撃がされてしまうことが回避される。
【０１０８】
つまり、ＲＤコマンド１ｃが受信された後には（Ｓｘ３のＹｅｓ）、不正な通信がされ難い第２の通信（Ｓｘ５）がされて、二次攻撃が防止できる。
【０１０９】
これにより、ひいては、二次攻撃がされて、適切な動作（後述される図８のＳａ２〜Ｓａ４、図９のＳａ５〜Ｓａ７など）が不能になるのが回避され、ＲＤコマンド１ｃが受信された後に、確実に、適切な動作ができる。
【０１１０】
図４は、スマートメータ１などを示す図である。
【０１１１】
なお、図４における、第１の通信部１２１などのそれぞれの機能ブロックの詳細については、適宜、図４以外の他の図（図２など）における説明も、参照されたい。
【０１１２】
図５は、スマートメータ１のフローチャートを示す図である。
【０１１３】
なお、例えば、こうして、次の動作が行われてもよい。
【０１１４】
ステップＳｘ１では、系統９ａの電力の供給が行われる。
【０１１５】
ステップＳｘ２では、第１の通信（第１の通信部１２１、ＬＡＮ経由コマンド受信部６１）がされる。
【０１１６】
ステップＳｘ３では、ＲＤコマンド１ｃが受信されたか否かが判定される。
【０１１７】
受信されたと判定されない場合には（Ｓｘ３のＮｏ）、このＳｘ３が行われる時刻よりも後の後続の時刻でも、電力の供給（Ｓｘ１）がされ、第１の通信（Ｓｘ２）もされる。
【０１１８】
つまり、例えば、この場合には（Ｓｘ３のＮｏ）、これら電力の供給等（Ｓｘ１、Ｓｘ２）を続けさせる制御がされてもよい。
【０１１９】
ステップＳｘ４では、ＲＤコマンド１ｃが受信されたと判定された場合に（Ｓｘ３のＹｅｓ）、系統９ａからの電力の供給が停止される（電力供給制御部１１、電源切替部６７）。
【０１２０】
ステップＳｘ５では、第２の通信（第２の通信部１２２、Ｌｏｃａｌ経由コマンド受信部６８）が行われる。
【０１２１】
なお、例えば、上述のＳｘ２で、ＲＤコマンド１ｃが受信されてもよい。
【０１２２】
このように、図４の第１の通信部１２１等について、次の通りである。
【０１２３】
つまり、例えば、電力供給制御部１１（図２における、電源切替部６７及びＮＷ・電源制御部６５、または、電源切替部６７のみなど）が、当該スマートメータ１を通じた、電気機器（テレビ３１など）への、電力の供給を停止させるＲＤコマンド１ｃが受信された場合に（Ｓｘ３のＹｅｓ、後述の図８のＳａ１、後述の図１０のＳｍ１１）、当該供給を停止させる（Ｓｘ４、図８のＳａ２、図１０のＳｍ１２）。
【０１２４】
そして、それぞれ通信を行う第１、第２の通信部（通信インタフェース）１２１、１２２が設けられる（ＬＡＮ経由コマンド受信部６１およびＬｏｃａｌ経由コマンド受信部６８）。
【０１２５】
そして、通信制御部１３（ＮＷ・電源切替制御部６５およびＮＷ切替部６６、または、ＮＷ切替部６６のみなど）もある。
【０１２６】
そして、通信制御部１３が、ＲＤコマンド１ｃが受信される以前に（Ｓｘ３のＮｏ）、第１の通信部１２１での第１の通信を行わせ（Ｓｘ２）、ＲＤコマンド１ｃが受信された後には（Ｓｘ３のＹｅｓ、Ｓａ１）、受信の以前に行われる第１の通信（Ｓｘ２）を行わせず、第２の通信部１２２による第２の通信（Ｓｘ５、Ｓａ４、Ｓａ５、Ｓｍ１２、Ｓｍ６２）のみが行わせてもよい。
【０１２７】
これにより、二次攻撃が回避され、確実に、停止のコマンドの受信の後に、適切な動作ができる。
【０１２８】
なお、例えば、図２のＬａｎ経由コマンド受信部６１は、図４の第１の通信部１２１の一部である。なお、図２のＬｏｃａｌ経由コマンド受信部６８などの機能ブロックについても、この例と同様に、例えば、その機能ブロックに対応する、図４の機能ブロックの一部などでもよい。
【０１２９】
なお、サブアイディアとしては、次の技術なども考えられる。
【０１３０】
つまり、例えば、Ｓｘ４の処理は、Ｓｘ５の処理よりも後にされてもよい。
【０１３１】
つまり、例えば、スマートメータ１は、ＲＤコマンド１ｃが受信された場合に（Ｓｘ３のＹｅｓ）、すぐには、系統９ａからの電力の供給の停止（Ｓｘ４）をさせず、停止（Ｓｘ４）をさせるよりも先に、ＳＧ（Smart Grid）対応家電機器（登録機器１ｒ）を経由した第２の通信（Ｓｘ５）で、電力会社（の第１のサーバ４１）などから情報を取得してもよい（図９のＳａ５などを参照）。
【０１３２】
つまり、取得される情報は、例えば、受信されたＲＤコマンド１ｃが、電力会社の第１のサーバ４１により送信されたコマンド（正しいＲＤコメント１ｃ）であるか否かを示す情報などである。
【０１３３】
そして、取得（Ｓｘ５）された情報により、第１のサーバ４１からのコマンドであると示されない場合には、供給の停止がされなくてもよい。
【０１３４】
そして、取得（Ｓｘ５）された情報により、第１のサーバ４１からのコマンドであると示される場合にのみ、供給の停止（Ｓｘ４）が、上述された第２の通信（Ｓｘ５）の後に行われてもよい。
【０１３５】
なお、こうして、情報が取得されることにより、状況が確認されてもよい。
【０１３６】
そして、この確認（Ｓｘ５）の後に、系統９ａからの供給が停止（Ｓｘ４）されてもよい。
【０１３７】
例えば、こうして、不正なＲＤコマンド１ｃによる、不正な、電力の供給停止が防がれてもよい。
【０１３８】
これにより、料金の未払いのない住宅で、不正なＲＤコマンド１ｃにより、不正な停止がされるのが回避できる。
【０１３９】
これにより、ひいては、住宅１ｈのある地域の複数の住宅において、不正な停止が回避されて、それら複数の住宅に、一斉に、不正なＲＤコマンド１ｃが送信されて、それら複数の住宅で、一斉に、不正な停止がされて、系統９ａがダウンしてしまうことが回避できる。つまり、それらの複数の住宅のうちのそれぞれの住宅に設けられたスマートメータが、上述された、住宅１ｈのスマートメータ１の構成と同様の構成を備えてもよい。
【０１４０】
これにより、系統９ａの状態が、ダウンした状態になるのが回避され、確実に、適切な状態にできる。
【０１４１】
≪蓄電池１ａ≫
なお、例えば、先述された登録機器１ｒ（図１１）は、テレビ３１などの、系統９ａの電力が供給される電気機器である。
【０１４２】
登録機器１ｒは、ＲＤコマンド１ｃが受信されない場合には（Ｓｘ３のＮｏ）、スマートメータ１を通じて供給される、系統９ａからの電力（Ｓｘ１）で動作する（後述の図６のモード１における、第２行第５列の「送電網」の文字を参照）。
【０１４３】
そして、ＲＤコマンド１ｃが受信された場合には（Ｓｘ３のＮｏ）、系統９ａからの電力の供給が停止される。
【０１４４】
そこで、登録機器１ｒは、例えば、ＲＤコマンド１ｃが受信された場合に（Ｓｘ３のＹｅｓ）、系統９ａからの電力以外のその他の電力（例えば、蓄電池１ａの電力）で動作してもよい（モード２の第５列の「蓄電池」を参照）。
【０１４５】
つまり、登録機器１ｒは、このような、他の電力（蓄電池１ａの電力）での動作により、上述された、第２の通信での処理などをしてもよい。
【０１４６】
その他の電力は、例えば、上述のように、蓄電池１ａ（図１）からの電力などである。
【０１４７】
なお、蓄電池１ａは、図１に示されるように、例えば、住宅１ｈに設けられた蓄電池である。
【０１４８】
つまり、例えば、電源切替部６７は、ＲＤコマンド１ｃが受信された場合には（Ｓｘ３のＹｅｓ）、登録機器１ｒに対して、系統９ａからの電力を供給させなくてもよい（Ｓｘ４）。
【０１４９】
そして、電源切替部６７（図２）は、ＲＤコマンド１ｃが受信された場合には（Ｓｘ３のＹｅｓ）、系統９ａからの電力ではなく、上述されたされたその他の電力（蓄電池１ａの電力）を、登録機器１ｒに供給させてもよい。
【０１５０】
なお、このような動作をさせる制御が、ＮＷ・電源切替制御部６５などにより行われてもよい。
【０１５１】
なお、後述のように、例えば、ＲＤコマンド１ｃが受信された場合でも（Ｓｘ３のＹｅｓ）、スマートメータ１の動作は、蓄電池１ａの電力でされず、系統９ａからの電力で行われてもよい（図６のモード２における、第３行第４列の「送電網」の文字などを参照）。
【０１５２】
≪複数のモード≫
図６は、４つのモードの表を示す図である。
【０１５３】
なお、例えば、スマートメータ１が、複数のモード（モード１〜４）から選択されたモードで動作してもよい。なお、例えば、上記の選択は、電力供給制御部１１（図４）により行われてもよい。
【０１５４】
つまり、例えば、ＲＤコマンド１ｃが受信される以前に（Ｓｘ３のＮｏ）、モード１（図６の第２行）での動作がされてもよい。
【０１５５】
そして、例えば、ＲＤコマンド１ｃが受信された後に（Ｓｘ３のＹｅｓ）、モード２〜４（図６の第３行〜第５行）に含まれるモードでの動作がされてもよい。
【０１５６】
つまり、例えば、モード１が終了する直後に、モード２（第３行）での動作がされてもよい。
【０１５７】
つまり、モード２では、先述された、通信の遮断（第３行第３列の「不可能」を参照）などがされてもよい。
【０１５８】
そして、モード２では、「機器への送電」の文字が付された第５列の「蓄電池」の文字（第３行第５列）により示されるように、登録機器１ｒの動作が、蓄電池１ａの電力でされてもよい（先述の説明を参照）。
【０１５９】
つまり、例えば、モード２では、それぞれの電気機器の動作が、蓄電池１ａの電力でされてもよい。
【０１６０】
なお、モード２では、予め定められた条件が満たされる場合などには、電気機器に、系統９ａの電力が供給されてもよい。
【０１６１】
つまり、その条件とは、例えば、その電気機器が、冷蔵庫３２であるとの条件などでもよい。
【０１６２】
これにより、比較的多くの消費電力での冷却がされて、冷蔵される食物等が傷むのが回避されてもよい。
【０１６３】
そして、このような、モード２での動作がされた後に、モード４での動作がされてもよい。
【０１６４】
つまり、モード４では、「機器への送電」の文字が付された第５列の「送電網」の文字（第５行第５列）に示されるように、登録機器１ｒの動作が、蓄電池１ａの電力でなく、系統９ａからの電力でされてもよい（先述の説明を参照）。
【０１６５】
つまり、例えば、モード４では、それぞれの電気機器の動作が、系統９ａの電力でされてもよい。
【０１６６】
これにより、蓄電池１ａでの供給がされるだけに止まる不便な時間が短い時間にできる。
【０１６７】
そして、モード４での動作がされた後に、再び、モード１での動作がされてもよい。
【０１６８】
なお、ＲＤコマンド１ｃが受信された後において、モード４での動作がされる期間でない期間に、モード３の動作がされてもよい。
【０１６９】
つまり、例えば、モード３では、第４行第３列の「可能」の文字に示されるように、ＲＤコマンド１ｃの受信の後であるにも関わらず、第１の通信がされてもよい。
【０１７０】
そして、例えば、モード３では、第４行第４列の「蓄電池」の文字により示されるように、スマートメータ１も、系統９ａからの電力で動作せずに、蓄電池１ａの電力で動作してもよい。
【０１７１】
なお、例えば、このようなモード３での動作はされず、モード１、２、４での動作のみがされてもよい。
【０１７２】
図７は、表６５ｔを示す図である。
【０１７３】
表６５ｔでは、第２行で、系統９ａの電力が供給されるか否かが示され、第３行で、第１の通信がされるか否かが示される。
【０１７４】
適宜、この表６５ｔも参照されたい。
【０１７５】
≪履歴８ｄ２の通信など≫
上述のように、ＲＤコマンド１ｃが受信された場合に（Ｓｘ３のＹｅｓ）、第２の通信（第２の通信部１２２での通信）が行われる。
【０１７６】
そこで、次の処理が行われてもよい。
【０１７７】
つまり、先述の通り、スマートメータ１は、システム１ｓ（図１）に含まれる。
【０１７８】
そして、例えば、サーバシステム４（図１）における、電力会社の第１のサーバ４１が、ＲＤコマンド１ｃを送信してもよい。
【０１７９】
そして、メーカーの第２のサーバ４２が、送信されたＲＤコマンド１ｃを受信して、受信されたＲＤコマンド１ｃを、インターネット（第１のネットワーク５１）を介して、第１の通信で、スマートメータ１へと送信してもよい。
【０１８０】
図８は、システム１ｓにおける動作の流れの前半部分を示す図である。なお、後半部分についての図９は、後で詳しく説明される。
【０１８１】
図１０は、システム１ｓにおける動作のフローチャートである。
【０１８２】
そして、スマートメータ１により、第２のサーバ４２により送信されたＲＤコマンド１ｃが受信される（Ｓａ１、Ｓｍ１１、図５のＳｘ２、Ｓｘ３のＹｅｓ）。
【０１８３】
そして、ＲＤコマンド１ｃが受信された場合に（Ｓａ１、Ｓｘ３のＹｅｓ）、電力の供給が停止されると共に、第１の通信の遮断がされてもよい（Ｓａ２、Ｓｍ１２、Ｓｘ４、Ｓｘ５）。
【０１８４】
図１１は、スマートメータ１、登録機器１ｒ、サーバシステム４などを示す図である。
【０１８５】
そして、ＲＤコマンド１ｃが受信がされた場合に（Ｓａ１、Ｓｘ３のＹｅｓ）、スマートメータ１と、登録機器１ｒ（テレビ３１など）との間で、第２の通信がされる（Ｓｘ５）。
【０１８６】
つまり、この第２の通信で、スマートメータ１の動作の履歴８ｄ２（図１１）が送信されてもよい（図２のコマンド実行履歴送信部６４ａ、Ｓａ４、Ｓｍ１２）。
【０１８７】
なお、送信される履歴８ｄ２は、スマートメータ１が、ＲＤコマンド１ｃが受信される以前に実行したそれぞれのコマンドを特定する情報（コマンドの履歴）などでもよい。
【０１８８】
つまり、履歴８ｄ２が、スマートメータ１（図２の履歴記憶部６４）により記憶されて、記憶された履歴８ｄ２が、登録機器１ｒへと送信されてもよい。
【０１８９】
なお、履歴記憶部６４は、例えば、いわゆる耐タンパ性を有するなどで、記憶された履歴８ｄ２が比較的、不正に読み出され難い記憶装置などでもよい。
【０１９０】
なお、スマートメータ１などにより、履歴８ｄ２の署名８ｄ３（図１１）が生成されてもよい（Ｓａ３、Ｓｍ１２）。
【０１９１】
そして、スマートメータ１により、履歴８ｄ２と共に、履歴８ｄ２の署名８ｄ３が、登録機器１ｒへと送信されてもよい。
【０１９２】
そして、サーバシステム４などにおいて、送信された署名８ｄ３の検証が行われて（図８のＳｄ２）、その検証に成功した場合に、履歴８ｄ２に基づいた動作がされてもよい。
【０１９３】
なお、同様に、図１１に示されるように、履歴８ｄ２以外のデータ（機器情報８ｄ５、データ８ｄ７、８ｄ９など）についても、署名（署名８ｄ６、８ｄ８、８ｄ１０など）が生成され（Ｓｂ３、Ｓｄ３、Ｓｃ６）、生成された署名の送信、受信、検証（Ｓｄ２、Ｓｃ４、Ｓｂ６、Ｓａ６）などが行われてもよい。
【０１９４】
そして、送信された履歴８ｄ２が登録機器１ｒにより受信される（Ｓｂ１、Ｓｍ２１）。
【０１９５】
そして、受信された履歴８ｄ２が、登録機器１ｒから、メーカーの第２のサーバ４２へと送信される（Ｓｂ４、Ｓｍ２２）。
【０１９６】
なお、例えば、履歴８ｄ２だけでなく、電気機器（登録機器１ｒなど）の消費電力を示す機器情報８ｄ５（図１１）も送信されてもよい（Ｓｂ４、Ｓｍ２２）。
【０１９７】
なお、登録機器１ｒの消費電力の機器情報８ｄ５が送信されてもよいし、他の電気機器（図１の冷蔵庫３２など）の機器情報８ｄ５が送信されてもよいし、何れも送信されてもよい。
【０１９８】
こうして、例えば、１以上の機器情報８ｄ５が送信されることにより、サーバシステム４において、それぞれの電気機器の機器情報８ｄ５が含まれてなる機器群情報８ｄ４（図１１）が取得されてもよい。
【０１９９】
なお、履歴８ｄ２の受信がされた場合に（Ｓｂ１、Ｓｍ２１）、電気機器（例えば、登録機器１ｒなど）が、緊急動作モード（図１０のＳｍ２２）で動作してもよい（Ｓｂ２）。
【０２００】
なお、例えば、上述された緊急動作モードは、そのモードでは、消費される消費電力が比較的少ないモードなどである。
【０２０１】
これにより、蓄電池１ａの電力が減り難くできる。
【０２０２】
なお、履歴８ｄ２が、ＲＤコマンド１ｃの受信がされたことを示す通知として受信されて、ＲＤコマンド１ｃが受信されたことが通知されてもよい。
【０２０３】
そして、サーバシステム４において、送信された、スマートメータ１の動作の履歴８ｄ２等が受信された場合に（Ｓｃ１）、データ（データ８ｄ７、８ｄ９（図１１））が生成されてもよい。
【０２０４】
つまり、サーバシステム４において、復旧指針のデータ８ｄ７と、運用指針のデータ８ｄ９とがそれぞれ生成されてもよい。
【０２０５】
そして、例えば、生成される、復旧指針のデータ８ｄ７は、例えば、スマートメータ１の動作を特定して、その動作をさせる制御をスマートメータ１に行う制御データ等でもよい。
【０２０６】
つまり、このデータ８ｄ７により、その動作が指示されてもよい。
【０２０７】
なお、データ８ｄ７は、モード（図６を参照）を特定して、特定されるモードの動作をさせるデータなどでもよい。
【０２０８】
そして、生成される、運用指針のデータ８ｄ９は、例えば、登録機器１ｒの動作を特定して、登録機器１ｒに、その動作をすることを指示するデータでもよい。
【０２０９】
なお、運用指針のデータ８ｄ９により、登録機器１ｒ以外の他の機器の動作の指示がされてもよい。
【０２１０】
なお、データ８ｄ９も、モードを特定して、そのモードの動作をさせるデータなどでもよい。
【０２１１】
なお、後で詳しく説明されるように、スマートメータ１の動作の、復旧指針のデータ８ｄ７は、電力会社の第１のサーバ４１により生成されてもよい（Ｓｄ３、Ｓｍ４２）。
【０２１２】
そして、登録機器１ｒの動作の、運用指針のデータ８ｄ９は、メーカーの第２のサーバ４２により生成されてもよい（Ｓｃ５、Ｓｍ５１）。
【０２１３】
つまり、登録機器１ｒにより送信された、スマートメータ１の動作の履歴８ｄ２等が、サーバシステム４における、メーカーの第２のサーバ４２により受信される（Ｓｃ１、Ｓｍ３１）。
【０２１４】
そして、受信された履歴８ｄ２等が、電力会社の第１のサーバ４１へと送信される（Ｓｃ２、Ｓｍ３１）。
【０２１５】
そして、第１のサーバ４１により、受信された履歴８ｄ２等の一部または全部（Ｓｄ１、Ｓｍ４１）などから、上述された、復旧指針のデータ８ｄ７（図１１）が生成される（Ｓｄ３、Ｓｍ４２）。
【０２１６】
図９は、システム１ｓでの動作の後半部分を示す図である。
【０２１７】
そして、例えば、生成されたデータ８ｄ７が、メーカーの第２のサーバ４２へと送信される（Ｓｄ４、Ｓｍ４２）。
【０２１８】
そして、メーカーの第２のサーバ４２により、送信されたデータ８ｄ７が受信される（Ｓｃ３、Ｓｍ５１）。
【０２１９】
そして、メーカーの第２のサーバ４２により、運用指針のデータ８ｄ９が生成される（Ｓｃ５、Ｓｍ５１）。
【０２２０】
つまり、受信された履歴８ｄ２等と（Ｓｃ１）、受信された、復旧指針のデータ８ｄ７と（Ｓｃ３）のうちの一方または両方などから、この生成がされる。
【０２２１】
そして、電力会社の第１のサーバ４１から受信された、復旧指針のデータ８ｄ７（Ｓｃ３）と、生成された、運用指針のデータ８ｄ９（Ｓｃ５）とがそれぞれ、登録機器１ｒへと送信される（Ｓｃ７、Ｓｍ５１）。
【０２２２】
そして、登録機器１ｒが、送信された、データ８ｄ７、８ｄ９を受信する（Ｓｂ５、Ｓｍ６１）。
【０２２３】
そして、受信された、運用指針のデータ８ｄ９により特定される動作が登録機器１ｒにより行われる（Ｓｂ７、Ｓｍ６１）。
【０２２４】
そして、受信された、復旧指針のデータ８ｄ７が、スマートメータ１へと送信される（Ｓｂ８、Ｓｍ６２）。
【０２２５】
そして、送信された、復旧指針のデータ８ｄ９が受信され（Ｓａ５、Ｓｍ７１、Ｓｘ５）、受信されたデータ８ｄ９により特定される動作がスマートメータ１により行われる（Ｓａ７、Ｓｍ７１）。
【０２２６】
このように、例えば、次の動作が行われてもよい。
【０２２７】
つまり、システム１ｓは、スマートメータ１と、当該スマートメータ１を通じて、系統９ａから電力が供給される登録機器１ｒ（例えばテレビ３１）と、サーバシステム４とを含んでもよい。
【０２２８】
そして、電力供給制御部１１（図４）が、第１の通信部１２１により、サーバシステム４により送信された、停止をさせるＲＤコマンド１ｃが受信された場合に（Ｓａ１、Ｓｘ３のＹｅｓ）、電力の供給を停止させてもよい（Ｓａ２、Ｓｘ４）。
【０２２９】
そして、当該スマートメータ１は、停止をさせるＲＤコマンド１ｃが受信された場合に（Ｓａ１、Ｓｘ３のＹｅｓ）、第２の通信部１２２による第２の通信で、当該スマートメータ１の動作の履歴８ｄ２を、予め定められた電気機器（登録機器１ｒ、テレビ３１）に送信してもよい（コマンド実行履歴送信部６４ａ、Ｓａ４、Ｓｘ５）。
【０２３０】
そして、登録機器１ｒ（テレビ３１）が、送信された当該履歴８ｄ２をサーバシステム４（メーカーの第１のサーバ４１）に送信してもよい（Ｓｂ４）。
【０２３１】
そして、サーバシステム４（第１のサーバ４１）が、送信された当該履歴８ｄ２から生成された、スマートメータ１の動作を特定する第１のデータである、復旧指針のデータ８ｄ７、および、登録機器１ｒ（電気機器）の動作を特定する第２のデータである、運用指針のデータ８ｄ９を、それぞれ登録機器１ｒに送信してもよい（Ｓｃ７）。
【０２３２】
そして、登録機器１ｒは、送信された第２のデータ（データ８ｄ９）の動作を行うと共に、送信された第１のデータ（データ８ｄ７）を、スマートメータ１へと送信してもよい。
【０２３３】
そして、スマートメータ１は、送信された第１のデータ（データ８ｄ７）の動作を行ってもよい。
【０２３４】
≪ファームウェアなど≫
より具体的には、例えば、次の動作がされてもよい。
【０２３５】
図１２Ａは、モード１（図６）の動作でのＲＡＭなどを示す図である。
【０２３６】
図１２Ｂは、モード２の動作でのＲＡＭなどを示す図である。
【０２３７】
図１２Ｃは、モード３の動作でのＲＡＭなどを示す図である。
【０２３８】
図１２Ｄは、モード４の動作でのＲＡＭなどを示す図である。
【０２３９】
つまり、例えば、第１のファームウェア７１（図１２Ａなどを参照）が実行されると共に、第２のファームウェア７３も、ＣＰＵ７０（Central Processing Unit）により実行されてもよい。なお、ＣＰＵ７０については、後で詳述される。
【０２４０】
そして、例えば、第１のファームウェア７１は、図１２Ａ（動作１）、図１２Ｄ（動作４）の場合にそれぞれ実行されてもよい。
【０２４１】
一方で、第２のファームウェア７３は、図１２Ｂ（動作２）、図１２Ｃ（動作４）の場合に、それぞれ実行されてもよい。
【０２４２】
そして、例えば、図示された、それぞれのファームウェアのプログラムの横幅により示されるように、第２のファームウェア７３のサイズは、第１のファームウェア７１のサイズよりも小さい。
【０２４３】
つまり、例えば、第２のファームウェア７３は、第１の通信の処理の部分が含まれず、そのサイズが比較的小さい。
【０２４４】
これにより、第２のファームウェア７３が実行される際には、消費電力が小さくされ、また、用いられる資源（リソース）が少なくされる。
【０２４５】
また、第２のファームウェア７３では、上述のようにサイズが小さいことにより、脆弱性（リスク）が比較的低（リスクを生じる恐れがある問題点が少なく）い。これにより、第２のファームウェア７３が実行されるときには、より安全な動作がされる。
【０２４６】
なお、例えば、第２のファームウェア７３では、サイズが小さく、実現される機能が少なくて、実現される機能に、セキュリティホールが含まれ難いなどで、脆弱性が低くてもよい。
【０２４７】
このため、第２のファームウェア７３が実行されるときには、省メモリ（図１２Ｂ、図１２ＣのＲＡＭ（Random Access memory）等を参照）、低リソース、低リスクが実現される。
【０２４８】
なお、図１２Ａ、図１２Ｄの左端上部の、「蓄電池」および「系統」の記載の箇所で示されるように、例えば、動作１および４のそれぞれでは、供給される電力が、系統９ａの電力である（図６のモード１、４を参照）。
【０２４９】
そして、図１２Ｂ、図１２Ｄでの、それら「蓄電池」および「系統」の箇所で示されるように、動作２および３のそれぞれでは、供給される電力が、蓄電池１ａの電力である（モード２、３を参照）。
【０２５０】
そして、図１２Ａ、図１２Ｃの左端下部の、「ローカル」および「ＬＡＮ」の記載の箇所で示されるように、動作１および３のそれぞれでは、第１の通信がされる（図６のモード１、３を参照）。
【０２５１】
そして、動作２および４のそれぞれでは、第１の通信がされない（モード２、４を参照）。
【０２５２】
つまり、例えば、ＣＰＵ７０は、例えば、スマートメータ１に設けられたＣＰＵである。なお、ＣＰＵ７０は、上述された登録機器１ｒに設けられたＣＰＵでもよい。
【０２５３】
つまり、スマートメータ１などの装置において、ＲＤコマンド１ｃが受信されて、その装置に、蓄電池１ａの電力が供給される際には、比較的少ない消費電力での動作が行われてもよい（図１２Ｂ、図１２Ｃ）。
【０２５４】
なお、例えば、上述のように、スマートメータ１において、モード３での動作（図１２Ｃなどを参照）がされて、蓄電池１ａの電力での動作がされる際に、比較的少ない消費電力での動作がされてもよい。
【０２５５】
こうして、例えば、停止をさせるＲＤコマンド１ｃが受信される前に（図１２Ａ）、第１のファームウェア７１で動作し、受信された後に（図１２Ｂ、図１２Ｃ）、第２のファームウェア７３で動作する装置（スマートメータ１、テレビ３１など）が用いられてもよい。
【０２５６】
なお、スマートメータ１等は、例えば、受信がされた後でも、その装置において、系統９ａでの動作がされる場合には（図１２Ｄ）、例外的に、第１のファームウェア７１で動作してもよい。
【０２５７】
なお、図１２Ａ、図１２Ｄの場合には、比較的高い周波数での動作（図１２Ａの通常動作７０Ｈ）がされる一方で、図１２Ｂ、図１２Ｃの場合には、比較的低い周波数での動作（省電力動作７０Ｌ）がされてもよい。
【０２５８】
これにより、図１２Ｂ、図１２Ｃの場合には、より十分に、消費電力が小さくできる。
【０２５９】
つまり、例えば、停止をさせるＲＤコマンド１ｃが受信される前に（図１２Ａ）、比較的高い周波数で動作し、受信された後に（図１２Ｂ、図１２Ｃ）、比較的低い周波数で動作する装置（スマートメータ１、テレビ３１など）が用いられてもよい。
【０２６０】
なお、例えば、登録機器１ｒにより、図６のモード１〜４のうちから、スマートメータ１が動作するモードが、第２の通信などで、検知されてもよい。
【０２６１】
そして、例えば、第１のモードと検知された場合に、図１２Ａの場合の動作１が行われるなどしてもよい。
【０２６２】
図１３Ａは、モード１の動作でのＲＡＭなどを示す図である。
【０２６３】
図１３Ｂは、モード２の動作でのＲＡＭなどを示す図である。
【０２６４】
図１３Ｃは、モード３の動作でのＲＡＭなどを示す図である。
【０２６５】
図１３Ｄは、モード４の動作でのＲＡＭなどを示す図である。
【０２６６】
また、具体的には、例えば、１つのＣＰＵ７０（図１２Ａなど）のみが設けられるのでなく、第１のＣＰＵ７４と、第２のＣＰＵ７５（図１３Ａなど）との２つのＣＰＵが設けられてもよい。
【０２６７】
つまり、第１のファームウェア７６が実行される際には、第１のＣＰＵ７４により、処理が実行され、第２のファームウェア７８が実行される際には、第２のＣＰＵ７６により、処理が実行されてもよい。なお、例えば、第１、第２のＣＰＵ７４、７６は、スマートメータ１に設けられる。
【０２６８】
そして、第１、第２のＣＰＵ７４、７５の、図示されるサイズにより模式的に示されるように、例えば、プログラム実行される際における、第２のＣＰＵ７５での消費電力は、そのプログラムと同じプログラム実行される際における、第１のＣＰＵ７４での消費電力はよりも小さくてもよい。
【０２６９】
これにより、第２のファームウェア７８が実行されるときの消費電力が、更に小さくできる。
【０２７０】
こうして、例えば、停止をさせるＲＤコマンド１ｃが受信されるよりも前に（図１３Ａ）、第１のＣＰＵ７４で処理が実行され、受信された後に（図１３Ｂ、図１３Ｃ）、第２のＣＰＵ７５で処理が実行される装置（スマートメータ１、テレビ３１など）が構成される。
【０２７１】
なお、第２のファームウェア７８は、第１のファームウェア７６よりも、脆弱性が低い（リスクを生じる可能性がある問題点が少ない）ファームウェアなどでもよい。
【０２７２】
≪その他≫
図１４は、第２の通信で受信されるコマンドのリスト６９ｔを示す図である。
【０２７３】
例えば、このリスト６９ｔにおけるそれぞれのコマンドが、第２の通信で受信されてもよい。
【０２７４】
そして、受信されたコマンドが、Ｌｏｃａｌ経由コマンド実行部６９（図２）により実行されてもよい。
【０２７５】
なお、このような、第２の通信での、コマンドの受信は、例えば、ＲＤコマンド１ｃが受信されるよりも前にも行われてもよいし、受信がされた後にのみ行われてもよい。
【０２７６】
そして、例えば、リスト６９ｔのコマンドの種類は、図３のリスト６２ｔでのコマンドの種類よりも少なく、限定的でもよい。
【０２７７】
つまり、第２の通信では、例えば、遠隔検針のコマンドが受け付けられなくてもよい。
【０２７８】
また、第２の通信では、例えば、ネットワークの遮断のコマンド（例えばＲＤコマンド１ｃ）が受け付けられなくてもよい。
【０２７９】
なお、こうして、スマートメータ１と、宅内家電機器（テレビ３１など）との連係プレーにより、障害（例えば、不正なＲＤコマンド１ｃによる、不正な、電力の供給停止など）の発生事由の、調査と復旧などができる（図８、図９などを参照）。
【０２８０】
すなわち、スマートメータにおいて、次の動作がされてもよい。
【０２８１】
障害発生時に、標準（リモートコマンド受付可）モード（モード１）から、緊急（内部登録機器のみと対話をする。電力機器が蓄電池駆動される）モード（モード２など）に、動作のモードが遷移される。
【０２８２】
そして、コマンド実行履歴（履歴８ｄ２）が安全に保持される（履歴記憶部６４）。そして、保持されたコマンド実行履歴が、障害発生時に、家電（テレビ３１）経由で、電力会社の第１のサーバ４１へ安全に送付される。そして、送付されたコマンド実行履歴が、ハッカー等による攻撃か、実際の災害かの切り分けの糸口とされる。
【０２８３】
また、ＳＧ（Smart Grid）対応家電（テレビ３１など）により、次の動作がされる。
【０２８４】
つまり、スマートメータ１のコマンド実行履歴を、電力会社の第１のサーバ４１に送り届ける仲介役の動作が行われる（図８のＳｂ１、Ｓｂ４などを参照）。
【０２８５】
また、スマートメータ１への復旧指針および運用指針（データ８ｄ７、８ｄ９）を、電力会社の第１のサーバ４１からスマートメータ１へと送り届ける仲介役の動作が行われる（図９のＳｂ５、Ｓｂ８などを参照）。
【０２８６】
なお、テレビ３１などの電気機器においては、障害発生が通知されると、標準動作モードから、停電対策モード（失う危険性のあるデータが、速やかにShutdownされるモードなど）に遷移してもよい。
【０２８７】
なお、先述のように、履歴８ｄ２が送信されることにより、ＲＤコマンド１ｃが受信されたことが、登録機器１ｒに通知されてもよい。
【０２８８】
また、電力会社の第１のサーバ４１では、コマンド実行履歴（履歴８ｄ２）に基づいて、復旧指針（データ８ｄ７）を策定し、テレビ３１経由で、スマートメータ１へ送り届ける。
【０２８９】
なお、上述された、不正なＲＤコマンド１ｃの送信などは、例えば、いわゆるサイバーアタックなどでもよい。
【０２９０】
なお、サーバシステム４（例えば、電力会社の第１のサーバ４１）において、次の動作がされてもよい。
【０２９１】
つまり、スマートメータ１により受信されたＲＤコマンド１ｃが、不正でないＲＤコマンド１ｃか否かが判定されてもよい。
【０２９２】
なお、例えば、この判定は、スマートメータ１に受信されたＲＤコマンド１ｃの識別番号等が、第１のサーバ４１により送信されたＲＤコマンド１ｃの識別番号等と同じか否かが判定されることなどで、行われてもよい。
【０２９３】
そして、不正なコマンドであるとの判定がされた場合に、電力会社の第１のサーバ４１などにより、次の判定がされてもよい。
【０２９４】
つまり、スマートメータ１が設けられた住宅１ｈがある地域（同地域）にある他の住宅で、同様の現象が（閾値よりも多くの件数）発生しているか否かが判定されてもよい。
【０２９５】
つまり、発生していず、系統９ａ（の送電網など）が異常なしであるか、発生しており、異常ありであるかが判定されてもよい。
【０２９６】
そして、異常なしと判定され、問題の根が比較的浅いと判断される場合に、次の動作がされてもよい。
【０２９７】
つまり、この場合に、スマートメータ１に、回復モード（モード４）で動作をさせる指示をする、復旧指針のデータ８ｄ７が生成され、送信されてもよい。
【０２９８】
なお、送電網に異常がないことを確認する予め定められた処理がされて、その処理で、異常がないことが確認された場合にのみ、上記された生成、送信などがされてもよい。
【０２９９】
なお、同地域で異常なしと判断された場合には、そのことが、電力会社の第１のサーバ４１から、メーカーの第２のサーバ４２へと通知されてもよい。
【０３００】
そして、この通知がされた場合に、メーカーの第２のサーバ４２が、テレビ３１などに、予め定められた回復モードでの動作をさせる指示をしてもよい（運用指針のデータ８ｄ８などを参照）。
【０３０１】
一方で、同地域で同様の現象が発生しており、系統９ａで異常ありと判断され、問題の根が深いと判断される場合に、次の動作がされてもよい。
【０３０２】
すなわち、この場合においては、送電網（系統９ａ）の調査・復旧と、ＲＤコマンド１ｃ実行の原因究明となどに、比較的長い時間がかかるのが想定される。
【０３０３】
そこで、この場合には、電力会社の第１のサーバ４１などが、復旧予定日程を（スマートメータ１などに）送信してもよい（復旧指針のデータ８ｄ７を参照）。
【０３０４】
なお、送信される復旧予定日程は、特定された復旧予定日などを特定してもよい。
【０３０５】
なお、こうして、復旧予定日程が送付されることにより、緊急モード（図６のモード２などを参照）を、送付された復旧予定日程における復旧予定日まで維持することが指示されてもよい（復旧指針のデータ８ｄ７を参照）。
【０３０６】
なお、このような、原因究明などに比較的長い時間がかかる場合には、メーカーの第２のサーバ４２などにより、冷蔵庫のみ稼働させる制御などの、省電力制御をするようにさせる指示がされてもよい（運用指針のデータ８ｄ９などを参照）。
【０３０７】
なお、例えば、復旧予定日が遠いほど、消費される消費電力を少なくさせる制御などが、冷蔵庫３２等により行われてもよい。
【０３０８】
なお、このような、省電力制御の指示を送信するか否かが、メーカーの第２のサーバ４２などにより、復旧予定日程、蓄電池１ａの蓄電容量、機器利用状況（図１１の機器群情報８ｄ４など）などを勘案して、判断されてもよい。
【０３０９】
なお、こうして、複数の動作モード（図６）での動作がされる。これにより、従来からある未払い対策を実現しながらも、ネットワーク経由の攻撃が、いたずらであるのか、テロであるのかなどの状況に応じて、柔軟な運用ができる（例えば、図６のモード２〜４などを参照）。
【０３１０】
図１５は、複数の機能（機能８１〜機能８９）を示す図である。
【０３１１】
上述された、スマートメータ１の機能が理解される際には、適宜、図１５も参照されたい。スマートメータ１は、例えば、図１５の機能８１〜機能８９のそれぞれの機能の機能ブロックを備えてもよい。
【０３１２】
なお、例えば、本技術を用いないスマートメータとしては、図２の範囲１ｊの機能ブロックのみを備えるスマートメータが想定される。
【０３１３】
上述の説明のように、本スマートメータ１は、このような、想定されるスマートメータよりも、更に優れる。
【０３１４】
なお、例えば、以下の通りでもよい。
【０３１５】
第１の通信部１２１（図４）による第１の通信における、スマートメータ１のアドレスは、第１のアドレスであると共に、第２の通信部１２２による第２の通信における、スマートメータ１のアドレスは、第２のアドレスでもよい。
【０３１６】
例えば、これにより、通信がされる際における、スマートメータ１のアドレスが、第１のアドレスと、第２のアドレスとの間で、スマートメータ１により、切り替られてもよい。
【０３１７】
なお、アドレスとしては、ＭＡＣアドレス（Media Access Control address）がある。
【０３１８】
例えば、第１の通信では、第１のＭＡＣアドレスでの通信がされると共に、第２の通信では、第２のＭＡＣアドレスでの通信がされてもよい。
【０３１９】
例えば、第１の通信部１２１は、第１のＭＡＣアドレスでの通信をする第１の通信デバイスであると共に、第２の通信部１２２は、第２のＭＡＣアドレスでの通信をする第２の通信デバイスでもよい。
【０３２０】
なお、それぞれの通信デバイスは、例えば、いわゆる通信カードでもよい。
【０３２１】
なお、第１の通信は、第１の通信経路での通信であると共に、第２の通信は、第１の通信経路とは異なる第２の通信経路での通信でもよい。
【０３２２】
図１６は、スマートメータ１の構成などを示す図である。
【０３２３】
なお、第１の通信は、第１の通信網（第１のネットワーク）５１ｎ（図１６）での通信であると共に、第２の通信は、第１の通信網５１ｎとは異なる第２の通信網（第２のネットワーク）５２ｎでの通信でもよい。
【０３２４】
例えば、第１の通信網５１ｎは、図１６で示されるＩＰ網である一方で、第２の通信網５２ｎは、携帯電話網でもよい。
【０３２５】
このように、例えば、第２の通信網５２ｎは、携帯電話網で、この第２の通信網５２ｎでの通信では、比較的、ハッカーなどによる攻撃がされ難くてもよい。
【０３２６】
なお、第１の通信網５１ｎの少なくとも一部は、インターネットでもよい。
【０３２７】
なお、第２の通信網５２ｎは、携帯電話網ではなくて、ＷｉＭＡＸ（ワイマックス、Worldwide Interoperability for Microwave Access）の通信網などでもよい。
【０３２８】
なお、第１の通信における第１のアドレス（先述）は、第１の通信網５１ｎにおけるアドレスであると共に、第２の通信における第２のアドレス（先述）は、第２の通信網５２ｎにおけるアドレスでもよい。
【０３２９】
同様に、第１の通信経路（先述）は、第１の通信網５１ｎを通る通信経路であると共に、第２の通信経路（先述）は、第２の通信網５２ｎを通る通信経路でもよい。
【０３３０】
また、第１の通信デバイス（先述）は、第１の通信網５１ｎにおける通信をする通信デバイスであると共に、第２の通信デバイス（先述）は、第２の通信網５２ｎにおける通信をする通信デバイスでもよい。
【０３３１】
例えば、第１の通信デバイスは、いわゆるＮＩＣ（Network Interface Card）、または、ＷＮＩＣ（Wireless Network Interface Card）などである一方で、第２の通信デバイスは、携帯電話での無線通信をする通信デバイスなどでもよい。
【０３３２】
なお、先述のように、スマートメータ１には、ＳＩＭカード（Subscriber Identity Module Card）が設けられてもよい。
【０３３３】
なお、こうして、スマートメータ１により、動作が行われてもよい。
【０３３４】
この動作は、例えば、スマートメータ１に設けられたＣＰＵにより実行される動作である。
【０３３５】
この動作は、例えば、電力供給制御部１１により行われる動作と、通信制御部１３により行われる動作とを含む一方で、第１の通信部１２１による動作と、第２の通信部１２２による動作とを含まない。
【０３３６】
この動作を実行するＣＰＵのクロックの周波数として、第１の周波数（図１２Ａなどを参照）と、第１の周波数よりも低い第２の周波数（図１２Ｂなどを参照）とがあってもよい。
【０３３７】
この動作がされる際に、ＣＰＵにより実行されるファームウェアとして、第１のファームウェア７１と、第２のファームウェア７３とがあってもよい。
【０３３８】
この動作を実行するＣＰＵとして、第１のＣＰＵ７４と、第２のＣＰＵ７５とが、スマートメータ１に設けられてもよい。
【０３３９】
そして、この動作として、ＲＤコマンド１ｃが受信される以前における第１の動作と、受信された後における第２の動作とがあってもよい。
【０３４０】
第１の周波数で第１の動作がされ、第２の周波数で第２の動作がされてもよい。また、第１のファームウェア７１で第１の動作がされ、第２のファームウェア７３で第２の動作がされてもよい。また、第１のＣＰＵ７４で第１の動作がされ、第２のＣＰＵ７５で第２の動作がされてもよい。
【０３４１】
このように、本技術では、複数の構成（例えば、図４の電力供給制御部１１、通信制御部１３などを参照）が組合わせられることにより、組合わせからの相乗効果が生じる。これに対して、知られた先行例では、これら複数の構成の一部または全部を欠き、相乗効果が生じない。この点で、本技術は、先行例とは相違し、先行例よりも優れる。
【０３４２】
なお、本発明は、装置、システムなどとして実現できるだけでなく、その装置等を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【０３４３】
なお、本発明について、実施の形態に基づいて説明したが、本発明は、上記の実施の形態に限定されるものではない。本発明の主旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０３４４】
不正なＲＤコマンドが受信された後において、二次攻撃がされてしまうことが防がれる。これにより、不正なＲＤコマンドの受信の後に、二次攻撃がなく、適切な動作ができるスマートメータを提供できる。
【符号の説明】
【０３４５】
１  スマートメータ
１ｃ  ＲＤコマンド
１ｒ  登録機器
１ｓ  システム
１Ｑ  第３者のコンピュータ
４    サーバシステム
９ａ  系統
１１  電力供給制御部
１１ｓ  供給停止制御信号
１３  通信制御部
３１  テレビ
４１  第１のサーバ
４２  第２のサーバ
５１ｎ  第１の通信網
５２ｎ  第２の通信網
６７  電源切替部
１２１  第１の通信部
１２１ｎ、５１  第１のネットワーク
１２２  第２の通信部
１２２ｎ、５２  第２のネットワーク
【図１】
2012105210.tif 000003
【図２】
2012105210.tif 000004
【図３】
2012105210.tif 000005
【図４】
2012105210.tif 000006
【図５】
2012105210.tif 000007
【図６】
2012105210.tif 000008
【図７】
2012105210.tif 000009
【図８】
2012105210.tif 000010
【図９】
2012105210.tif 000011
【図１０】
2012105210.tif 000012
【図１１】
2012105210.tif 000013
【図１２Ａ】
2012105210.tif 000014
【図１２Ｂ】
2012105210.tif 000015
【図１２Ｃ】
2012105210.tif 000016
【図１２Ｄ】
2012105210.tif 000017
【図１３Ａ】
2012105210.tif 000018
【図１３Ｂ】
2012105210.tif 000019
【図１３Ｃ】
2012105210.tif 000020
【図１３Ｄ】
2012105210.tif 000021
【図１４】
2012105210.tif 000022
【図１５】
2012105210.tif 000023
【図１６】
2012105210.tif 000024
【国際調査報告】
2012105210.tif 000025
2012105210.tif 000026
2012105210.tif 000027
2012105210.tif 000028